(57)【要約】  本開示は、報告方法、受信方法、端末及びネットワーク側機器を提供する。そのうち、報告方法は、すでに記録されている第一のセルのＳＭＴＣ配置情報が携帯されている報告メッセージを第一のネットワーク側機器に送信することを含む。【選択図】図２
2022501922.tif 000002
【特許請求の範囲】
【請求項１】
端末に用いられる報告方法であって、
第一のセルの同期ブロードキャスト信号ブロック測定タイミング配置ＳＭＴＣ配置情報が携帯されている報告メッセージを第一のネットワーク側機器に送信することを含む、報告方法。
【請求項２】
報告メッセージを第一のネットワーク側機器に送信する前、前記報告方法はさらに、
前記第一のセルのＳＭＴＣ配置情報を取得することを含む、請求項１に記載の報告方法。
【請求項３】
前記第一のセルのＳＭＴＣ配置情報を取得することは、
第二のネットワーク側機器から送信された前記第一のセルのＳＭＴＣ配置情報を受信すること、または
ブラインド検出された前記第一のセルの同期ブロードキャスト信号ＳＳ／ＰＢＣＨブロックに基づいて、前記第一のセルのＳＭＴＣ配置情報を計算することを含む、請求項２に記載の報告方法。
【請求項４】
前記第一のセルのＳＭＴＣ配置情報を取得した後、前記報告方法はさらに、
前記端末が前記第一のセルにおいて接続状態からアイドル状態または非活性化状態になる場合、前記第一のセルのＳＭＴＣ配置情報をリザーブすることを含む、請求項２に記載の報告方法。
【請求項５】
報告メッセージを第一のネットワーク側機器に送信することは、
第二のセルとの接続の確立中または前記第二のセルに接続された後、第一のセルのＳＭＴＣ配置情報を前記第一のネットワーク側機器に送信することを含む、請求項１に記載の報告方法。
【請求項６】
報告メッセージを第一のネットワーク側機器に送信する前、前記報告方法はさらに、
第二のセルとの接続の確立中または前記第二のセルに接続された後、通知メッセージを前記第一のネットワーク側機器に送信し、前記通知メッセージは、前記端末がすでに前記第一のセルのＳＭＴＣ配置情報を記録したことを前記第一のネットワーク側機器へ通知するためのものであることを含み、
報告メッセージを第一のネットワーク側機器に送信することは、
前記第一のネットワーク側機器から送信された報告指示メッセージを受信した場合、前記第一のネットワーク側機器へ前記報告メッセージを送信することを含む、請求項１に記載の報告方法。
【請求項７】
前記通知メッセージは、ドライブテストの最小化ＭＤＴデータ報告メッセージである、請求項６に記載の報告方法。
【請求項８】
前記報告メッセージはさらに、識別標識、公衆陸上移動網ＰＬＭＮリスト、トラッキングエリアコードＴＡＣ、ワイヤレス・アクセス・ネットワークに基づく通知エリアコードＲＡＮＡＣ及びセル周波数ビンのうちの少なくとも一つの情報を含む、請求項１に記載の報告方法。
【請求項９】
第一のネットワーク側機器に用いられる受信方法であって、
第一の端末から送信された、第一のセルのＳＭＴＣ配置情報が携帯されている報告メッセージを受信することを含む、受信方法。
【請求項１０】
第一の端末から送信された報告メッセージを受信する前、前記受信方法はさらに、
前記第一の端末が第二のセルとの接続の確立中または前記第二のセルに接続された後に送信した通知メッセージを受信し、前記通知メッセージは、前記第一の端末がすでに前記第一のセルのＳＭＴＣ配置情報を記録したことを前記第一のネットワーク側機器へ通知するためのものであること、および
報告指示メッセージを前記第一の端末に送信することを含み、
第一の端末から送信された報告メッセージを受信することは、
前記第一の端末が前記報告指示メッセージに基づいて送信した前記報告メッセージを受信することを含む、請求項９に記載の受信方法。
【請求項１１】
前記通知メッセージは、ドライブテストの最小化ＭＤＴデータ報告メッセージである、請求項１０に記載の受信方法。
【請求項１２】
第一の端末から送信された報告メッセージを受信した後、前記受信方法はさらに、
前記ＳＭＴＣ配置情報を他のネットワーク側機器に転送することを含む、請求項９に記載の受信方法。
【請求項１３】
第一の端末から送信された報告メッセージを受信した後、前記受信方法はさらに、
前記第一のセルのＳＭＴＣ配置情報を利用して第二の端末にＳＭＴＣ配置を実行させることを含む、請求項９に記載の受信方法。
【請求項１４】
第一のセルの同期ブロードキャスト信号ブロック測定タイミング配置ＳＭＴＣ配置情報が携帯されている報告メッセージを第一のネットワーク側機器に送信するための第一の送信モジュールを含む、端末。
【請求項１５】
報告メッセージを第一のネットワーク側機器に送信する前、前記第一のセルのＳＭＴＣ配置情報を取得するための取得モジュールをさらに含む、請求項１４に記載の端末。
【請求項１６】
前記取得モジュールは具体的に、
第二のネットワーク側機器から送信された前記第一のセルのＳＭＴＣ配置情報を受信し、または
ブラインド検出された前記第一のセルの同期ブロードキャスト信号ＳＳ／ＰＢＣＨブロックに基づいて、前記第一のセルのＳＭＴＣ配置情報を計算するために用いられる、請求項１５に記載の端末。
【請求項１７】
前記第一のセルのＳＭＴＣ配置情報を取得した後、前記端末が前記第一のセルにおいて接続状態からアイドル状態または非活性化状態になる場合、前記第一のセルのＳＭＴＣ配置情報をリザーブするためのリザーブモジュールをさらに含む、請求項１４に記載の端末。
【請求項１８】
前記第一の送信モジュールは具体的に、
第二のセルとの接続の確立中または前記第二のセルに接続された後、第一のセルのＳＭＴＣ配置情報を前記第一のネットワーク側機器に送信するために用いられる、請求項１４に記載の端末。
【請求項１９】
前記第一のネットワーク側機器へ報告メッセージを送信する前、第二のセルとの接続の確立中または前記第二のセルに接続された後、通知メッセージを前記第一のネットワーク側機器に送信するための第二の送信モジュールをさらに含み、
前記通知メッセージは、前記端末がすでに前記第一のセルのＳＭＴＣ配置情報を記録したことを前記第一のネットワーク側機器へ通知するためのものであり、
前記第一の送信モジュールは具体的に、
前記第一のネットワーク側機器から送信された報告指示メッセージを受信した場合、前記第一のネットワーク側機器へ報告メッセージを送信するために用いられる、請求項１４に記載の端末。
【請求項２０】
前記通知メッセージは、ドライブテストの最小化ＭＤＴデータ報告メッセージである、請求項１９に記載の端末。
【請求項２１】
前記報告メッセージはさらに、識別標識、公衆陸上移動網ＰＬＭＮリスト、トラッキングエリアコードＴＡＣ、ワイヤレス・アクセス・ネットワークに基づく通知エリアコードＲＡＮＡＣ及びセル周波数ビンのうちの少なくとも一つの情報を含む、請求項１４に記載の端末。
【請求項２２】
第一の端末から送信された、第一のセルのＳＭＴＣ配置情報が携帯されている報告メッセージを受信するための第一の受信モジュールを含む、ネットワーク側機器。
【請求項２３】
第一の端末から送信された報告メッセージを受信する前、前記第一の端末が第二のセルとの接続の確立中または前記第二のセルに接続された後に送信した通知メッセージを受信するための第二の受信モジュールであって、前記通知メッセージは、前記第一の端末がすでに前記第一のセルのＳＭＴＣ配置情報を記録したことをネットワーク側機器へ通知するためのものである第二の受信モジュール、および
報告指示メッセージを前記第一の端末に送信するための第三の送信モジュールをさらに含み、
前記第一の受信モジュールは具体的に、
前記第一の端末が前記報告指示メッセージに基づいて送信した前記報告メッセージを受信するために用いられる、請求項２２に記載のネットワーク側機器。
【請求項２４】
前記通知メッセージは、ドライブテストの最小化ＭＤＴデータ報告メッセージである、請求項２３に記載のネットワーク側機器。
【請求項２５】
第一の端末から送信された報告メッセージを受信した後、前記ＳＭＴＣ配置情報を他のネットワーク側機器に転送するための転送モジュールをさらに含む、請求項２２に記載のネットワーク側機器。
【請求項２６】
第一の端末から送信された報告メッセージを受信した後、前記第一のセルのＳＭＴＣ配置情報を利用して第二の端末にＳＭＴＣ配置を実行させるための配置モジュールをさらに含む、請求項２２に記載のネットワーク側機器。
【請求項２７】
プロセッサ、メモリ、および、前記メモリに記憶され、前記プロセッサ上で運行できるコンピュータプログラムを含み、前記コンピュータプログラムが前記プロセッサによって実行される時、請求項１〜８のいずれか１項に記載の報告方法のステップを実現させる、端末。
【請求項２８】
プロセッサ、メモリ、および、前記メモリに記憶され、前記プロセッサ上で運行できるコンピュータプログラムを含み、前記コンピュータプログラムが前記プロセッサによって実行される時、請求項９〜１３のいずれか１項に記載の受信方法のステップを実現させる、端末。
【請求項２９】
コンピュータプログラムが記憶されており、前記コンピュータプログラムがプロセッサによって実行される時、請求項１〜８のいずれか１項に記載の報告方法のステップまたは請求項９〜１３のいずれか１項に記載の受信方法のステップを実現させる、コンピュータ可読記憶媒体。
【発明の詳細な説明】
【技術分野】
【０００１】
（関連出願の相互参照）
本出願は、２０１８年９月２５日に中国で提出された中国特許出願番号Ｎｏ．２０１８１１１１６５７８．８の優先権を主張しており、同出願の内容の全ては、ここに参照として取り込まれる。
本開示の実施例は、通信技術分野に関し、特に報告方法、受信方法、端末及びネットワーク側機器に関する。
【背景技術】
【０００２】
端末は、再選択、接続発起または回復発起のシーンにおいて、セルの同期信号／物理的ブロードキャストチャネル（Ｓｙｎｃｈｒｏｎｉｚａｔｉｏｎ  Ｓｉｇｎａｌ／  Ｐｈｙｓｉｃａｌ  Ｂｒｏａｄｃａｓｔ  Ｃｈａｎｎｅｌ、ＳＳ／ＰＢＣＨ）ブロックを読み取る必要があり、ＳＳ／ＰＢＣＨブロックは、同期ブロードキャスト信号ブロックと呼ばれてもよい。
【０００３】
関連技術では、端末は、ブラインド検出の方式で、セルのＳＳ／ＰＢＣＨブロックを読み取ることによって、端末の消費電力が大きくなる。
【発明の概要】
【発明が解決しようとする課題】
【０００４】
本開示の実施例は、関連技術において端末がセルのＳＳ／ＰＢＣＨを読み取る消費電力が比較的大きいという問題を解決するための報告方法、受信方法、端末及びネットワーク側機器を提供する。
【０００５】
上記問題を解決するために、本開示は以下のように実現される。
第一の方面によれば、本開示の実施例は、端末に用いられる報告方法を提供する。前記報告方法は、
第一のセルの同期ブロードキャスト信号ブロック測定タイミング配置ＳＭＴＣ配置情報が携帯されている報告メッセージを第一のネットワーク側機器に送信することを含む。
【０００６】
第二の方面によれば、本開示の実施例は、ネットワーク側機器に用いられる受信方法を提供する。前記受信方法は、
第一の端末から送信された、第一のセルのＳＭＴＣ配置情報が携帯されている報告メッセージを受信することを含む。
【０００７】
第三の方面によれば、本開示の実施例はさらに、端末を提供する。前記端末は、
第一のセルの同期ブロードキャスト信号ブロック測定タイミング配置ＳＭＴＣ配置情報が携帯されている報告メッセージを第一のネットワーク側機器に送信するための第一の送信モジュールを含む。
【０００８】
第四の方面によれば、本開示の実施例はさらに、ネットワーク側機器を提供する。前記ネットワーク側機器は、
第一の端末から送信された、第一のセルのＳＭＴＣ配置情報が携帯されている報告メッセージを受信するための第一の受信モジュールを含む。
【０００９】
第五の方面によれば、本開示の実施例はさらに、端末を提供する。この端末は、プロセッサ、メモリ、および、前記メモリに記憶され、前記プロセッサ上で運行できるコンピュータプログラムを含み、前記コンピュータプログラムが前記プロセッサによって実行される時、上述したような報告方法のステップを実現させる。
【００１０】
第六の方面によれば、本開示の実施例はさらに、ネットワーク側機器を提供する。このネットワーク側機器は、プロセッサ、メモリ、および、前記メモリに記憶され、前記プロセッサ上で運行できるコンピュータプログラムを含み、前記コンピュータプログラムが前記プロセッサによって実行される時、上述したような受信方法のステップを実現させる。
【００１１】
第七の方面によれば、本開示の実施例はさらに、コンピュータ可読記憶媒体を提供する。このコンピュータ可読記憶媒体にはコンピュータプログラムが記憶されており、前記コンピュータプログラムがプロセッサによって実行される時、上述したような報告方法のステップ、または、上述したような受信方法のステップを実現させる。
【発明の効果】
【００１２】
本開示の実施例では、第一の端末は、すでに記録されている第一のセルのＳＭＴＣ配置情報が携帯されている報告メッセージを第一のネットワーク側機器に送信する。このように、ネットワーク側機器は、上記報告メッセージを受信した後、第一のセルのＳＭＴＣ配置情報を取得することができ、さらに前記第一のセルのＳＭＴＣ配置情報を利用して第二の端末にＳＭＴＣ配置を実行させることができる。それにより、第二の端末が第一のセルのＳＳ／ＰＢＣＨブロックをブラインド検出によって読み取ることが避けられ、第一のセルのＳＳ／ＰＢＣＨブロックを読み取るレートを速めることができ、さらに第二の端末の消費電力を低減することができる。
【００１３】
本開示の実施例の技術案をより明瞭に説明するために、以下は、本開示の実施例の記述において使用すべき添付図面を簡単に紹介する。自明なことに、以下の記述における添付図面は、ただ本開示のいくつかの実施例に過ぎず、当業者にとって、創造的な労力を払わない前提で、それらの添付図面に基づいて、他の添付図面を取得することもできる。
【図面の簡単な説明】
【００１４】
【図１】本開示の実施例に用いられるネットワークシステムの構成図である。
【図２】本開示の実施例による報告方法のフローチャートである。
【図３】本開示の実施例による受信方法のフローチャートである。
【図４】本開示の実施例による端末の構成図のその一である。
【図５】本開示の実施例によるネットワーク側機器の構成図のその一である。
【図６】本開示の実施例による端末の構成図のその二である。
【図７】本開示の実施例によるネットワーク側機器の構成図のその二である。
【発明を実施するための形態】
【００１５】
以下は、本開示の実施例における添付図面を結び付けながら、本開示の実施例における技術案を明瞭且つ完全に記述する。明らかに、記述された実施例は、本開示の一部の実施例であり、全部の実施例ではない。本開示における実施例に基づき、当業者が創造的な労力を払わない前提で得られたすべての他の実施例は、いずれも本開示の保護範囲に属する。
【００１６】
本出願における用語である「第一の」、「第二の」などは、類似した対象を区別するためのものであり、必ずしも特定の順序または前後手順を記述するためのものではない。なお、「含む」と「有する」という用語及びそれらの任意の変形は、非排除性の「含む」を意図的にカバーするものであり、例えば、一連のステップまたはユニットを含むプロセス、方法、システム、製品または機器は、必ずしも明瞭にリストされているそれらのステップまたはユニットに限らず、明瞭にリストされていないまたはそれらのプロセス、方法、製品または機器に固有の他のステップまたはユニットを含んでもよい。なお、本出願において使用された「及び／又は」は、接続された対象の少なくともそのうちの一つを表し、例えばＡ及び／又はＢ及び／又はＣは、単独のＡ、単独のＢ、単独のＣ、及びＡとＢとの組み合わせ、ＢとＣとの組み合わせ、ＡとＣとの組み合わせ、及びＡとＢとＣとの組み合わせの７つのケースを含むことを表す。
【００１７】
図１は、本開示の実施例に用いられるネットワークシステムの構成図である。図１に示すように、端末１１とネットワーク側機器１２を含み、そのうち、端末１１とネットワーク側機器１２との間は、ネットワークを介して通信できる。
【００１８】
本開示の実施例では、端末１１は、ユーザ端末（Ｕｓｅｒ  Ｅｑｕｉｐｍｅｎｔ、ＵＥ）と呼ばれてもよく、具体的に実現する時、端末１１は、携帯電話、タブレットパソコン（Ｔａｂｌｅｔ  Ｐｅｒｓｏｎａｌ  Ｃｏｍｐｕｔｅｒ）、ラップトップコンピュータ（Ｌａｐｔｏｐ  Ｃｏｍｐｕｔｅｒ）、パーソナル・デジタル・アシスタント（Ｐｅｒｓｏｎａｌ  Ｄｉｇｉｔａｌ  Ａｓｓｉｓｔａｎｔ、ＰＤＡ）、モバイル・インターネット・デバイス（Ｍｏｂｉｌｅ  Ｉｎｔｅｒｎｅｔ  Ｄｅｖｉｃｅ、ＭＩＤ）、ウェアラブルデバイス（Ｗｅａｒａｂｌｅ  Ｄｅｖｉｃｅ）または車載機器などの端末側機器であってもよい。説明すべきことは、本開示の実施例では端末１１の具体的なタイプを限定しない。
【００１９】
ネットワーク側機器１２は、基地局、中継、アクセスポイント、モビリティ管理エンティティ（Ｍｏｂｉｌｉｔｙ  Ｍａｎａｇｅｍｅｎｔ  Ｅｎｔｉｔｙ、ＭＭＥ）、アクセスモビリティ管理機能（Ａｃｃｅｓｓ  Ｍａｎａｇｅｍｅｎｔ  Ｆｕｎｃｔｉｏｎ、ＡＭＦ）またはゲートウェイなどであってもよい。基地局は、５Ｇおよび以降のバージョンの基地局（例えば：５Ｇ  ＮＲ  ＮＢ）、または他の通信システムにおける基地局（例えば：進化型基地局（Ｅｖｏｌｕｔｉｏｎａｌ  Ｎｏｄｅ  Ｂ、ｅＮＢ）であってもよい。説明すべきことは、本開示の実施例では、ネットワーク側機器１２の具体的なタイプを限定するものではないことである。
【００２０】
記述の便宜上、以下は、本開示の実施例に係るいくつかの内容を説明する。
ネットワーク側機器は、接続状態のユーザ端末ＵＥに対して同期信号／物理的ブロードキャストチャネルブロック測定タイミング配置または同期ブロードキャスト信号ブロック測定タイミング配置（ＳＳ／ＰＢＣＨ  Ｂｌｏｃｋ  Ｍｅａｓｕｒｅｍｅｎｔ  Ｔｉｍｉｎｇ  Ｃｏｎｆｉｇｕｒａｔｉｏｎ、ＳＭＴＣ）を配置してもよい。例示的なものとして、セルＡは、無線リソース制御（Ｒａｄｉｏ  Ｒｅｓｏｕｒｃｅ  Ｃｏｎｔｒｏｌ、ＲＲＣ）リリース（Ｒｅｌｅａｓｅ）メッセージにおいてユーザ端末ＵＥに対してセルＢのＳＭＴＣを配置してもよい。セルＢのＳＭＴＣ配置情報によれば、ユーザ端末ＵＥは、セルＢのシステム情報のＳＳ／ＰＢＣＨ  ｂｌｏｃｋを読み取ることが分かり、ＳＳ／ＰＢＣＨブロックの位置と長さを含む。
【００２１】
以下は、本開示の実施例の報告方法を説明する。
【００２２】
図２は、本開示の実施例による報告方法のフローチャートのその一である。本実施例の報告方法は端末に用いられ、図２に示すように、本実施例の報告方法は、以下のステップを含む。
【００２３】
ステップ２０１：すでに記録されている第一のセルの同期ブロードキャスト信号ブロック測定タイミング配置ＳＭＴＣ配置情報が携帯されている報告メッセージを第一のネットワーク側機器に送信する。
【００２４】
本実施例のユーザ端末ＵＥには、第一のセルのＳＭＴＣ配置情報がすでに記録されている。そのため、容易に理解できるように、報告メッセージを第一のネットワーク側機器に送信する前、報告方法はさらに、前記第一のセルのＳＭＴＣ配置情報を取得することを含んでもよい。
【００２５】
具体的に実現する時、本実施例のユーザ端末ＵＥは、様々な方式によって第一のセルのＳＭＴＣ配置情報を取得できる。選択的に、前記第一のセルのＳＭＴＣ配置情報を取得することは、
方式一：第二のネットワーク側機器から送信された前記第一のセルのＳＭＴＣ配置情報を受信すること、
または、
方式二：ブラインド検出された前記第一のセルの同期ブロードキャスト信号ＳＳ／ＰＢＣＨブロックに基づいて、前記第一のセルのＳＭＴＣ配置情報を計算すること、
を含んでもよい。
【００２６】
方式一については、実際の使用では、一つのサービスセルは、ユーザ端末ＵＥに対して隣接セルのＳＭＴＣ配置情報を配置してもよい。セルＡがユーザ端末ＵＥに対してセルＢのＳＭＴＣ配置情報を配置すると、ユーザ端末ＵＥは、セルＢのＳＭＴＣ配置情報を受信し記録することができる。
【００２７】
理解すべきことは、方式一において、第一のセルのＳＭＴＣ配置情報を送信するネットワーク側機器と本実施例のユーザ端末ＵＥから送信された報告メッセージを受信するネットワーク側機器とは、異なるネットワーク側機器であってもよいことである。
【００２８】
方式二については、ネットワーク側機器は、ユーザ端末ＵＥに対して第一のセルのＳＭＴＣ配置情報を配置していない。ユーザ端末ＵＥが第一のセルにアクセスしようとすると、ユーザ端末ＵＥは、ブラインド検出によって第一のセルのＳＳ／ＰＢＣＨブロックを読み取ることができ、第一のセルのＳＳ／ＰＢＣＨブロックの位置と長さなどの情報を読み取って、第一のセルのＳＭＴＣ配置情報を計算することができる。
【００２９】
上述したいずれか一つの方式によって第一のセルのＳＭＴＣ配置情報を取得すると、一定の時間だけ保存して、後続の報告に用いられてもよい。
【００３０】
本開示の具体的な実施例では、前記第一のネットワーク側機器と第二のネットワーク側機器は、同じ機器であってもよく、異なる機器であってもよい。
【００３１】
例えば、この第一のネットワーク側機器は、再選択の前にアクセスされたセルに対応する基地局Ａであり、第二のネットワーク側機器は、端末が再選択した第二のセルに対応する基地局Ｂであってもよい。
【００３２】
第一のネットワーク側機器は、第一のセルと第二のセルが所属する同一の基地局であってもよい。
【００３３】
選択的に、前記第一のセルのＳＭＴＣ配置情報を取得した後、前記方法はさらに、
前記端末が前記第一のセルにおいて接続状態からアイドル状態または非活性化状態になる場合、前記第一のセルのＳＭＴＣ配置情報をリザーブすることを含む。
【００３４】
つまり、ユーザ端末ＵＥの第一のセルでの接続状態の具体的なパフォーマンスにかかわらず、ユーザ端末ＵＥは、第一のセルのＳＭＴＣ配置情報をずっと記録（保存）することができる。一方では、ユーザ端末ＵＥは、第一のセルのＳＭＴＣ配置情報をネットワーク側機器に報告することにより、ネットワーク側機器が記憶しているセルのＳＭＴＣ配置情報を豊かにすることができる。もう一方では、ユーザ端末ＵＥが第一のセルに改めてアクセスする必要がある場合、ユーザ端末ＵＥは、記憶されている第一のセルのＳＭＴＣ配置情報を直接に抽出して、第一のセルのＳＳ／ＰＢＣＨブロックを読み取ったり、測定したりすることにより、ユーザ端末ＵＥの第一のセルへのアクセスプログレスを速めることができる。
【００３５】
本実施例では、ユーザ端末ＵＥは、別のセルに移動した後、報告メッセージの送信をトリガーしてもよい。具体的に実現する時、ユーザ端末ＵＥは、報告メッセージの送信を主動的にトリガーまたは受動的にトリガーしてもよい。
【００３６】
選択的に、報告メッセージを第一のネットワーク側機器に送信することは、
第二のセルとの接続の確立中または前記第二のセルに接続された後、第一のセルのＳＭＴＣ配置情報をネットワーク側機器に送信することを含む。
【００３７】
具体的に実現する時、ユーザ端末ＵＥが第二のセルに移動して、接続または再接続を発起する。第二のセルとの接続の確立中または前記第二のセルに接続された後、ユーザ端末ＵＥは、主動的にネットワーク側機器へその記録された第一のセルのＳＭＴＣ配置情報を送信してもよい。
【００３８】
そのうち、ユーザ端末ＵＥと第二のセルとの接続の確立中、第一のセルのＳＭＴＣ配置情報が携帯されている報告メッセージは、接続確立中のメッセージであってもよい。
【００３９】
選択的に、報告メッセージを第一のネットワーク側機器に送信する前、前記方法はさらに、
第二のセルとの接続の確立中または前記第二のセルに接続された後、ネットワーク側機器へ通知メッセージを送信し、前記通知メッセージは、前記端末がすでに前記第一のセルのＳＭＴＣ配置情報を記録したことをネットワーク側機器へ通知するためのものであることを含み、
報告メッセージを第一のネットワーク側機器に送信することは、
前記ネットワーク側機器から送信された報告指示メッセージを受信した場合、報告メッセージを第一のネットワーク側機器に送信することを含む。
【００４０】
具体的に実現する時、通知メッセージには標識情報が携帯されてもよく、前記端末がすでに前記第一のセルのＳＭＴＣ配置情報を記録したことを示すために用いられる。そのうち、標識情報は、第一のセルのセル標識であってもよいが、それに限らない。
【００４１】
本開示の具体的な実施例では、通知メッセージは、単独に設置されたメッセージであってもよい。ドライブテストの最小化（Ｍｉｎｉｍｉｚａｔｉｏｎ  ｏｆ  Ｄｒｉｖｅ  Ｔｅｓｔｓ、ＭＤＴ）データにはすでにＳＭＴＣ配置情報が含まれていることを考慮して、システムの煩雑度を低減し、システムのコストを減少するために、本開示の実施例では、選択的に、前記通知メッセージは、ドライブテストの最小化（Ｍｉｎｉｍｉｚａｔｉｏｎ  ｏｆ  Ｄｒｉｖｅ  Ｔｅｓｔｓ、ＭＤＴ）データ報告メッセージを多重化してもよい。
【００４２】
本実施の形態では、ユーザ端末ＵＥは、第二のセルとの接続の確立中または前記第二のセルに接続された後、ネットワーク側機器へ通知メッセージを送信することにより、ユーザ端末ＵＥがすでに第一のセルのＳＭＴＣ配置情報を記録したことをネットワーク側機器へ通知する。そして、ネットワーク側機器から送信された報告指示メッセージを受信した後、報告メッセージを第一のネットワーク側機器に送信する。
【００４３】
このように、ネットワーク側機器はユーザ端末ＵＥがすでに記録していたＳＭＴＣ配置情報を必要としない場合、ユーザ端末ＵＥがネットワーク側機器から送信された報告指示メッセージを受信することができず、または受信したメッセージにはユーザ端末ＵＥが報告する必要がないことが示されるシーンにおいて、ユーザ端末ＵＥは、報告メッセージを第一のネットワーク側機器に送信しなくてもよい。それにより、ユーザ端末ＵＥが直接に主動的に報告メッセージを第一のネットワーク側機器に送信する場合に比べて、ユーザ端末ＵＥが報告メッセージを送信する操作を節約することができ、さらにユーザ端末ＵＥの消費電力を低減することができる。
【００４４】
本実施例では、報告メッセージには、第一のセルのＳＭＴＣ配置情報以外の他の情報が携帯されてもよい。選択的に、前記報告メッセージはさらに、識別標識、公衆陸上移動網（Ｐｕｂｌｉｃ  Ｌａｎｄ  Ｍｏｂｉｌｅ  Ｎｅｔｗｏｒｋ、ＰＬＭＮ）リスト、トラッキングエリアコード（Ｔｒａｃｋｉｎｇ  Ａｒｅａ  Ｃｏｄｅ、ＴＡＣ）、ワイヤレス・アクセス・ネットワークに基づく通知エリアコード（Ｒａｄｉｏ  Ａｃｃｅｓｓ  Ｎｅｔｗｏｒｋ−ｂａｓｅｄ  Ｎｏｔｉｆｉｃａｔｉｏｎ  Ａｒｅａ  Ｃｏｄｅ、ＲＡＮＡＣ）及びセル周波数ビンのうちの少なくとも一つの情報を含んでもよい。そのうち、識別標識は、物理的セル標識（Ｐｈｙｓｉｃａｌ  Ｃｅｌｌ  Ｉｄｅｎｔｉｆｉｅｒ、ＰＣＩ）またはセルのユニックな識別標識であってもよい。
【００４５】
説明すべきことは、本開示の実施例において紹介された様々な選択的な実施の形態は、お互いに組み合わせて実現されてもよく、単独に実現されてもよく、これに対して、本開示の実施例は限定しないことである。
【００４６】
本実施例の報告方法によれば、第一の端末は、すでに記録されている第一のセルのＳＭＴＣ配置情報が携帯されている報告メッセージを第一のネットワーク側機器に送信する。このように、ネットワーク側機器は、上記報告メッセージを受信した後、第一のセルのＳＭＴＣ配置情報を取得することができる。一方では、ネットワーク側機器が記憶しているセルのＳＭＴＣ配置情報を豊かにすることができる。もう一方では、ネットワーク側機器はさらに、取得された前記第一のセルのＳＭＴＣ配置情報を利用して第二の端末にＳＭＴＣ配置を実行させることができる。それにより、第二の端末が第一のセルのＳＳ／ＰＢＣＨブロックをブラインド検出によって読み取ることが避けられ、第一のセルのＳＳ／ＰＢＣＨブロックを読み取るレートを速めることができ、さらに第二の端末の消費電力を低減することができる。
【００４７】
図３は、本開示の実施例による受信方法のフローチャートである。本実施例の受信方法はネットワーク側機器に用いられる。
【００４８】
図３に示すように、本実施例の受信方法は、以下のステップを含んでもよい。
【００４９】
ステップ３０１：第一の端末から送信された報告メッセージを受信し、前記報告メッセージには、前記端末がすでに記録した第一のセルのＳＭＴＣ配置情報が携帯されている。
【００５０】
選択的に、第一の端末から送信された報告メッセージを受信する前、前記方法はさらに、
前記第一の端末が第二のセルとの接続の確立中または前記第二のセルに接続された後に送信した通知メッセージを受信し、前記通知メッセージは、前記端末がすでに前記第一のセルのＳＭＴＣ配置情報を記録したことをネットワーク側機器へ通知するためのものであること、および
報告指示メッセージを前記第一の端末に送信することを含み、
第一の端末から送信された報告メッセージを受信することは、
前記第一の端末が前記報告指示メッセージに基づいて送信した前記報告メッセージを受信することを含む。
【００５１】
説明すべきことは、本実施の形態は、図２の方法の実施例においてユーザ端末ＵＥが受動的に報告メッセージを送信する方式に該当することであり、具体的に図２の方法の実施例における関連内容の記述を参考すればよく、ここで説明を省略する。
【００５２】
具体的に実現する時、ネットワーク側機器は、第一のセルのＳＭＴＣ配置情報が記録されているかどうかを判断することで、第一の端末へ報告指示メッセージを送信するかどうかを決定してもよい。
【００５３】
ネットワーク側機器が第一のセルのＳＭＴＣ配置情報が記録されていることを検出した場合、第一の端末へ報告指示メッセージを送信しなくてもよい。それにより、第一の端末が報告メッセージを送信する操作を節約することができ、さらに第一の端末の消費電力を低減することができる。
【００５４】
ネットワーク側機器が第一のセルのＳＭＴＣ配置情報が記録されていることを検出していない場合、第一の端末へ報告指示メッセージを送信することによって、第一の端末に報告メッセージの送信を指示することができ、さらにネットワーク側機器が記憶しているセルのＳＭＴＣ配置情報を豊かにすることができる。
【００５５】
選択的に、第一の端末から送信された報告メッセージを受信した後、前記方法はさらに、
前記ＳＭＴＣ配置情報を他のネットワーク側機器に転送することを含む。
【００５６】
具体的に実現する時、他のネットワーク側機器は具体的に、他の基地局セル、ＴＣＥ（Ｔｒａｃｅ  Ｃｏｌｌｅｃｔｉｏｎ  Ｅｎｔｉｔｙ、トラッキング・コレクション・エンティティ）、ゲートウェイ、モビリティ管理エンティティ（Ｍｏｂｉｌｉｔｙ  Ｍａｎａｇｅｍｅｎｔ  Ｅｎｔｉｔｙ、ＭＭＥ）およびアクセスとモビリティ管理機能（Ａｃｃｅｓｓ  ａｎｄ  Ｍｏｂｉｌｉｔｙ  Ｍａｎａｇｅｍｅｎｔ  Ｆｕｎｃｔｉｏｎ、ＡＭＦ）のうちの少なくとも一つと表されてもよい。
【００５７】
このように、他のネットワーク側機器は、第一のセルのＳＭＴＣ配置情報を記録し、他の端末に対して第一のセルのＳＭＴＣ配置情報を配置してもよい。それにより、他の端末は、第一のセルのＳＭＴＣ配置情報によって、第一のセルのＳＳ／ＰＢＣＨブロックを読み取り、測定することができ、第一のセルのＳＳ／ＰＢＣＨブロックを読み取るレートを速めることができ、端末の消費電力を低減することができる。
【００５８】
具体的には、ユーザ端末ＵＥは、再選択、接続発起または回復発起のシーンにおいて、第一のセルの第一のＳＭＴＣ配置情報によって指示された第一のセルのＳＳ／ＰＢＣＨブロックの第一の位置に、第一のセルのＳＳ／ＰＢＣＨブロックを読み取ることができる。それにより、再選択、接続発起または回復発起のプログレスを速めることができる。
【００５９】
選択的に、第一の端末から送信された報告メッセージを受信した後、前記方法はさらに、
前記第一のセルのＳＭＴＣ配置情報を利用して第二の端末にＳＭＴＣ配置を実行させることを含む。
【００６０】
具体的に実現する時、第二の端末は、第一のセルに存在し、且つアイドル状態または非活性化状態にある端末であってもよいし、第二のセルとＲＲＣ接続された端末であってもよい。
【００６１】
本実施例では、第一のセルのＳＭＴＣ配置情報は、第一のセルのＳＳ／ＰＢＣＨブロックの位置を読み取り、測定することを指示するために用いられる。そのため、本実施の形態の受信方法によれば、第二の端末は、第一のセルのＳＭＴＣ配置情報に基づいて、第一のセルのＳＳ／ＰＢＣＨブロックを読み取り、測定することができ、第一のセルのＳＳ／ＰＢＣＨブロックを読み取るレートを速めることができ、第二の端末の消費電力を低減することができる。
【００６２】
説明すべきことは、本開示の実施例において紹介された様々な選択的な実施の形態は、お互いに組み合わせて実現されてもよく、単独に実現されてもよく、これに対して、本開示の実施例は限定しない。
【００６３】
また、本実施例は、上記方法の実施例に対応するネットワーク側機器の実施の形態とするため、関連内容については、上記方法の実施例における関連説明を参照することができ、且つ同じ有益な効果を実現することができる。説明の重複を回避するために、ここでは説明を省略する。
【００６４】
本開示の実施例によって、ユーザ端末ＵＥは、セルのＳＭＴＣ配置情報を記録し、報告することができ、ネットワーク側機器が他のユーザ端末ＵＥに対してこのセルのＳＭＴＣ配置情報を配置することに寄与する。これにより、ユーザ端末ＵＥが繰り返してこのセルのＳＳ／ＰＢＣＨブロックをブラインド検出することが避けられ、ユーザ端末ＵＥの電力消費を節約することができる。
【００６５】
図４は、本開示の実施例による端末の構成図のその一である。図４に示すように、端末４００は、
すでに記録されている第一のセルの同期ブロードキャスト信号ブロック測定タイミング配置ＳＭＴＣ配置情報が携帯されている報告メッセージを第一のネットワーク側機器に送信するための第一の送信モジュール４０１を含む。
【００６６】
選択的に、前記端末４００はさらに、
報告メッセージを第一のネットワーク側機器に送信する前、前記第一のセルのＳＭＴＣ配置情報を取得するための取得モジュールを含む。
【００６７】
選択的に、前記取得モジュールは具体的に、
第二のネットワーク側機器から送信された前記第一のセルのＳＭＴＣ配置情報を受信し、または
ブラインド検出された前記第一のセルの同期ブロードキャスト信号ＳＳ／ＰＢＣＨブロックに基づいて、前記第一のセルのＳＭＴＣ配置情報を計算するために用いられる。
【００６８】
選択的に、前記端末４００はさらに、
前記第一のセルのＳＭＴＣ配置情報を取得した後、前記端末が前記第一のセルにおいて接続状態からアイドル状態または非活性化状態になる場合、前記第一のセルのＳＭＴＣ配置情報をリザーブするためのリザーブモジュールを含む。
【００６９】
選択的に、前記第一の送信モジュール４０１は具体的に、
第二のセルとの接続の確立中または前記第二のセルに接続された後、第一のセルのＳＭＴＣ配置情報をネットワーク側機器に送信するために用いられる。
【００７０】
選択的に、前記端末４００はさらに、
報告メッセージを第一のネットワーク側機器に送信する前、第二のセルとの接続の確立中または前記第二のセルに接続された後、ネットワーク側機器へ通知メッセージを送信するための第二の送信モジュールを含み、
前記通知メッセージは、前記端末４００がすでに前記第一のセルのＳＭＴＣ配置情報を記録したことをネットワーク側機器へ通知するためのものであり、
前記第一の送信モジュール４０１は具体的に、
前記ネットワーク側機器から送信された報告指示メッセージを受信した場合、報告メッセージを第一のネットワーク側機器に送信するために用いられる。
【００７１】
選択的に、前記通知メッセージは、ドライブテストの最小化ＭＤＴデータ報告メッセージである。
【００７２】
選択的に、前記報告メッセージはさらに、識別標識、公衆陸上移動網ＰＬＭＮリスト、タイミングアドバンスコマンドＴＡＣ、ＲＡＮＡＣ及びセル周波数ビンのうちの少なくとも一つの情報を含んでもよい。
【００７３】
端末４００は、本開示の図２の方法の実施例における各プロセスを実現することができ、且つ同じ有益な効果を実現することができる。説明の重複を回避するために、ここで説明を省略する。
【００７４】
図５は、本開示の実施例によるネットワーク側機器の構成図のその一である。図５に示すように、ネットワーク側機器５００は、
第一の端末から送信された、前記端末がすでに記録した第一のセルのＳＭＴＣ配置情報が携帯されている報告メッセージを受信するための第一の受信モジュール５０１を含む。
【００７５】
選択的に、前記ネットワーク側機器５００はさらに、
第一の端末から送信された報告メッセージを受信する前、前記第一の端末が第二のセルとの接続の確立中または前記第二のセルに接続された後に送信した通知メッセージを受信するための第二の受信モジュールであって、前記通知メッセージは、前記端末がすでに前記第一のセルのＳＭＴＣ配置情報を記録したことをネットワーク側機器へ通知するためのものである第二の受信モジュール、および
報告指示メッセージを前記第一の端末に送信するための第三の送信モジュールを含み、
前記第一の受信モジュール５０１は具体的に、
前記第一の端末が前記報告指示メッセージに基づいて送信した前記報告メッセージを受信するために用いられる。
【００７６】
選択的に、前記通知メッセージは、ドライブテストの最小化（Ｍｉｎｉｍｉｚａｔｉｏｎ  ｏｆ  Ｄｒｉｖｅ  Ｔｅｓｔｓ、ＭＤＴ）データ報告メッセージであってもよい。
【００７７】
選択的に、前記ネットワーク側機器５００はさらに、
第一の端末から送信された報告メッセージを受信した後、前記ＳＭＴＣ配置情報を他のネットワーク側機器に転送するための転送モジュールを含む。
【００７８】
選択的に、前記ネットワーク側機器５００はさらに、
第一の端末から送信された報告メッセージを受信した後、前記第一のセルのＳＭＴＣ配置情報を利用して第二の端末にＳＭＴＣ配置を実行させるための配置モジュールを含む。
【００７９】
ネットワーク側機器５００は、本開示の図３の方法の実施例における各プロセスを実現することができ、且つ同じ有益な効果を実現することができる。説明の重複を回避するために、ここで説明を省略する。
【００８０】
図６を参考して、図６は、本開示の実施例による端末の構成図のその二である。この端末は、本開示の各実施例の一つの端末を実現するハードウェア構成模式図であってもよい。図６に示すように、端末６００は、無線周波数ユニット６０１、ネットワークモジュール６０２、オーディオ出力ユニット６０３、入力ユニット６０４、センサ６０５、表示ユニット６０６、ユーザ入力ユニット６０７、インターフェースユニット６０８、メモリ６０９、プロセッサ６１０、及び電源６１１などの部材を含むが、それらに限らない。当業者であれば理解できるように、図６に示す端末構成は、端末に対する限定を構成せず、端末には、図示された部材の数よりも多くまたは少ない部材、または何らかの部材の組み合わせ、または異なる部材の配置が含まれてもよい。本開示の実施例では、端末は、携帯電話、タブレットパソコン、ノートパソコン、パームトップコンピューター、車載端末、ウェアラブルデバイス、及び歩数計などを含むが、それらに限らない。
【００８１】
そのうち、無線周波数ユニット６０１は、
すでに記録されている第一のセルの同期ブロードキャスト信号ブロック測定タイミング配置ＳＭＴＣ配置情報が携帯されている報告メッセージを第一のネットワーク側機器に送信するために用いられる。
【００８２】
選択的に、プロセッサ６１０、前記第一のセルのＳＭＴＣ配置情報を取得するために用いられる。
【００８３】
選択的に、無線周波数ユニット６０１はさらに、
第二のネットワーク側機器から送信された前記第一のセルのＳＭＴＣ配置情報を受信するために用いられ、または
プロセッサ６１０はさらに、
ブラインド検出された前記第一のセルの同期ブロードキャスト信号ＳＳ／ＰＢＣＨブロックに基づいて、前記第一のセルのＳＭＴＣ配置情報を計算するために用いられる。
【００８４】
選択的に、プロセッサ６１０はさらに、
前記端末が前記第一のセルにおいて接続状態からアイドル状態または非活性化状態になる場合、前記第一のセルのＳＭＴＣ配置情報をリザーブするために用いられる。
【００８５】
選択的に、無線周波数ユニット６０１はさらに、
第二のセルとの接続の確立中または前記第二のセルに接続された後、第一のセルのＳＭＴＣ配置情報をネットワーク側機器に送信するために用いられる。
【００８６】
選択的に、無線周波数ユニット６０１はさらに、
第二のセルとの接続の確立中または前記第二のセルに接続された後、ネットワーク側機器へ通知メッセージを送信するために用いられ、前記通知メッセージは、前記端末がすでに前記第一のセルのＳＭＴＣ配置情報を記録したことをネットワーク側機器へ通知するためのものであり、および
前記ネットワーク側機器から送信された報告指示メッセージを受信した場合、報告メッセージを第一のネットワーク側機器に送信するために用いられる。
【００８７】
選択的に、前記通知メッセージは、ドライブテストの最小化ＭＤＴデータ報告メッセージである。
【００８８】
選択的に、前記報告メッセージはさらに、識別標識、公衆陸上移動網ＰＬＭＮリスト、タイミングアドバンスコマンドＴＡＣ、ＲＡＮＡＣ及びセル周波数ビンのうちの少なくとも一つの情報を含んでもよい。
【００８９】
説明すべきことは、本実施例では、上記端末６００は、本開示の実施例における方法の実施例における各プロセスを実現することができ、且つ同じ有益な効果を実現することができる。説明の重複を回避するために、ここでは説明を省略する。
【００９０】
理解すべきことは、本開示の実施例では、無線周波数ユニット６０１は、情報の送受信または通話中の信号の送受信に用いられてもよい。具体的には、基地局からの下りリンクのデータを受信してから、プロセッサ６１０に処理させてもよい。また、上りリンクのデータを基地局に送信してもよい。一般的には、無線周波数ユニット６０１は、アンテナ、少なくとも一つの増幅器、送受信機、カプラ、低雑音増幅器、デュプレクサなどを含むが、それらに限らない。なお、無線周波数ユニット６０１は、無線通信システムやネットワークによって、他の機器との通信を行ってもよい。
【００９１】
端末は、ネットワークモジュール６０２によってユーザに無線のブロードバンドインターネットアクセスを提供し、例えば、ユーザへ電子メールの送受信、ウェブページの閲覧、ストリーミングメディアへのアクセスなどを支援する。
【００９２】
オーディオ出力ユニット６０３は、無線周波数ユニット６０１またはネットワークモジュール６０２が受信したまたはメモリ６０９に記憶されたオーディオデータをオーディオ信号に変換して、音声として出力することができる。そして、オーディオ出力ユニット６０３はさらに、端末６００によって実行された特定の機能に関連するオーディオ（例えば、呼び信号受信音、メッセージ着信音など）の出力を提供することができる。オーディオ出力ユニット６０３は、スピーカ、ブザー及び受話器などを含む。
【００９３】
入力ユニット６０４は、オーディオまたはビデオ信号を受信するために用いられる。入力ユニット６０４は、グラフィックスプロセッサ（Ｇｒａｐｈｉｃｓ  Ｐｒｏｃｅｓｓｉｎｇ  Ｕｎｉｔ、ＧＰＵ）６０４１とマイクロホン６０４２を含んでもよく、グラフィックスプロセッサ６０４１は、ビデオキャプチャモードまたは画像キャプチャモードにおいて画像キャプチャ装置（例えば、カメラ）によって得られた静止画像またはビデオの画像データを処理する。処理された画像フレームは、表示ユニット６０６上に表示されてもよい。グラフィックスプロセッサ６０４１によって処理された画像フレームは、メモリ６０９（または他の記憶媒体）に記憶されてもよく、または無線周波数ユニット６０１またはネットワークモジュール６０２を介して送信されてもよい。マイクロホン６０４２は、音声を受信することができるとともに、このような音声をオーディオデータとして処理することができる。処理されたオーディオデータは、電話の通話モードにおいて可無線周波数ユニット６０１を介して移動通信基地局に送信することが可能なフォーマットに変換して出力してもよい。
【００９４】
端末６００はさらに、少なくとも一つのセンサ６０５、例えば、光センサ、運動センサ及び他のセンサを含む。具体的には、光センサは、環境光センサ及び接近センサを含み、そのうち、環境光センサは、環境光の明暗に応じて、表示パネル６０６１の輝度を調整することができ、接近センサは、端末６００が耳元に移動した時、表示パネル６０６１及び／又はバックライトをオフにすることができる。運動センサの一種として、加速度計センサは、各方向（一般的には、三軸であり）における加速度の大きさを検出することができ、静止時、重力の大きさ及び方向を検出することができ、端末の姿勢（例えば、縦横スクリーン切り替え、関連ゲーム、磁力計姿勢校正）識別、振動識別関連機能（例えば、歩数計、タップ）などに用いられてもよい。センサ６０５はさらに、指紋センサ、圧力センサ、虹彩センサ、分子センサ、ジャイロ、気圧計、湿度計、温度計、赤外線センサなどを含んでもよく、ここでは説明を省略する。
【００９５】
表示ユニット６０６は、ユーザによって入力された情報またはユーザに提供される情報を表示するために用いられている。表示ユニット６０６は、表示パネル６０６１を含んでもよく、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）などの形式で表示パネル６０６１を配置してもよい。
【００９６】
ユーザ入力ユニット６０７は、入力された数字または文字情報を受信し、端末のユーザによる設置及び機能制御に関するキー信号入力を発生するために用いられてもよい。具体的には、ユーザ入力ユニット６０７は、タッチパネル６０７１及び他の入力機器６０７２を含む。タッチパネル６０７１は、タッチスクリーンとも呼ばれ、その上または付近でのユーザによるタッチ操作（例えば、ユーザが指、タッチペンなどの任意の適切な物体または付属品を使用してタッチパネル６０７１上またはタッチパネル６０７１付近で行なう操作）を収集することができる。タッチパネル６０７１は、タッチ検出装置とタッチコントローラの二つの部分を含んでもよい。そのうち、タッチ検出装置は、ユーザによるタッチ方位を検出し、タッチ操作による信号を検出し、信号をタッチコントローラに伝送する。タッチコントローラは、タッチ検出装置からタッチ情報を受信し、それをタッチポイント座標に変換してから、プロセッサ６１０に送信し、プロセッサ６１０から送信されてきたコマンドを受信し実行する。なお、抵抗式、静電容量式、赤外線及び表面音波などの様々なタイプを用いてタッチパネル６０７１を実現してもよい。タッチパネル６０７１以外、ユーザ入力ユニット６０７はさらに、他の入力機器６０７２を含んでもよい。具体的には、他の入力機器６０７２は、物理的キーボード、機能キー（例えば、音量制御ボタン、スイッチボタンなど）、トラックボール、マウス、操作レバーを含んでもよいが、それらに限らない。ここでは説明を省略する。
【００９７】
さらに、タッチパネル６０７１は、表示パネル６０６１上に覆われてもよい。当タッチパネル６０７１は、その上または付近でのタッチ操作を検出した場合、プロセッサ６１０に伝送して、タッチイベントのタイプを確定する。その後、プロセッサ６１０は、タッチイベントのタイプに応じて表示パネル６０６１上で相応な視覚出力を提供する。図６では、タッチパネル６０７１と表示パネル６０６１は、二つの独立した部材として端末の入力と出力機能を実現するものであるが、何らかの実施例では、タッチパネル６０７１と表示パネル６０６１を集積して端末の入力と出力機能を実現してもよい。具体的には、ここでは限定しない。
【００９８】
インターフェースユニット６０８は、外部装置と端末６００との接続のためのインターフェースである。例えば、外部装置は、有線または無線ヘッドフィンポート、外部電源（または電池充電器）ポート、有線または無線データポート、メモリカードポート、識別モジュールを有する装置への接続用のポート、オーディオ入力／出力（Ｉ／Ｏ）ポート、ビデオＩ／Ｏポート、イヤホンポートなどを含んでもよい。インターフェースユニット６０８は、外部装置からの入力（例えば、データ情報、電力など）を受信するとともに、受信した入力を端末６００内の一つまたは複数の素子に伝送し、または端末６００と外部装置との間でデータを伝送するために用いられてもよい。
【００９９】
メモリ６０９は、ソフトウェアプログラム及び各種のデータを記憶するために用いられてもよい。メモリ６０９は、主にプログラム記憶エリアとデータ記憶エリアを含んでもよく、そのうち、プログラム記憶エリアは、オペレーティングシステム、少なくとも一つの機能に必要なアプリケーションプログラム（例えば、音声放送機能、画像放送機能など）などを記憶することができ、データ記憶エリアは、携帯電話の使用によって作成されたデータ（例えば、オーディオデータ、電話帳など）などを記憶することができる。なお、メモリ６０９は、高速ランダムアクセスメモリを含んでもよく、例えば少なくとも一つの磁気ディスクメモリデバイス、フラッシュメモリデバイス、または他の揮発性ソリッドステートメモリデバイスのような非揮発性メモリをさらに含んでもよい。
【０１００】
プロセッサ６１０は、端末の制御センターであり、各種のインターフェースと線路によって端末全体の各部分に接続され、メモリ６０９内に記憶されたソフトウェアプログラム及び／又はモジュールを運行または実行すること、及びメモリ６０９内に記憶されたデータを呼び出し、端末の各種の機能を実行し、データを処理することで、端末全体をモニタリングする。プロセッサ６１０は、一つまたは複数の処理ユニットを含んでもよい。選択的に、プロセッサ６１０は、プロセッサとモデムプロセッサを集積して用いてもよい。そのうち、アプリケーションプロセッサは主にオペレーティングシステム、ユーザインターフェースおよびアプリケーションプログラムなどを処理するためのものであり、モデムプロセッサは、主に無線通信を処理するためのものである。理解すべきことは、上記モデムプロセッサは、プロセッサ６１０に集積されなくてもよい。
【０１０１】
端末６００はさらに、各部材に電力を供給する電源６１１（例えば、電池）を含んでもよい。選択的に、電源６１１は、電源管理システムによってプロセッサ６１０にロジック的に接続されてもよい。それにより、電源管理システムによって充放電管理及び消費電力管理などの機能を実現することができる。
【０１０２】
また、端末６００は、いくつかの示されていない機能モジュールを含む。ここでは説明を省略する。
【０１０３】
選択的に、本開示の実施例はさらに、端末を提供する。プロセッサ６１０、メモリ６０９、メモリ６０９に記憶され、前記プロセッサ６１０上で運行できるコンピュータプログラムを含み、このコンピュータプログラムがプロセッサ６１０によって実行される時、上記報告方法の実施例の各プロセスを実現させ、且つ同じ技術的効果を実現することができる。説明の重複を回避するために、ここで説明を省略する。
【０１０４】
図７は、本開示の実施例によるネットワーク側機器の構成図のその二である。図７に示すように、ネットワーク側機器７００は、プロセッサ７０１、メモリ７０２、ユーザインターフェース７０３、送受信機７０４およびバスインターフェースを含む。
【０１０５】
そのうち、本開示の実施例では、ネットワーク側機器７００はさらに、メモリ７０２に記憶され、プロセッサ７０１上で運行できるコンピュータプログラムを含み、コンピュータプログラムがプロセッサ７０１によって実行される時、以下のようなステップを実現させる。
【０１０６】
第一の端末から送信された報告メッセージを受信し、前記報告メッセージには、前記端末がすでに記録した第一のセルのＳＭＴＣ配置情報が携帯されていること。
【０１０７】
選択的に、コンピュータプログラムがプロセッサ７０１によって実行される時、以下のようなステップを実現させてもよい。
【０１０８】
前記第一の端末が第二のセルとの接続の確立中または前記第二のセルに接続された後に送信した通知メッセージを受信し、前記通知メッセージは、前記端末がすでに前記第一のセルのＳＭＴＣ配置情報を記録したことをネットワーク側機器へ通知するためのものであること、
報告指示メッセージを前記第一の端末に送信すること、および
前記第一の端末が前記報告指示メッセージに基づいて送信した前記報告メッセージを受信すること。
【０１０９】
選択的に、前記通知メッセージは、ＭＤＴ（Ｍｉｎｉｍｉｚａｔｉｏｎ  ｏｆ  Ｄｒｉｖｅ  Ｔｅｓｔｓ、ドライブテストの最小化）データ報告メッセージであってもよい。
【０１１０】
選択的に、コンピュータプログラムがプロセッサ７０１によって実行される時、以下のようなステップを実現させてもよい。
【０１１１】
前記ＳＭＴＣ配置情報を他のネットワーク側機器に転送すること。
【０１１２】
選択的に、コンピュータプログラムがプロセッサ７０１によって実行される時、以下のようなステップを実現させてもよい。
【０１１３】
前記第一のセルのＳＭＴＣ配置情報を利用して第二の端末にＳＭＴＣ配置を実行させること。
【０１１４】
図７中、バスアーキテクチャは、任意の数の相互接続されたバスとブリッジを含んでもよく、具体的にプロセッサ７０１によって代表される一つまたは複数のプロセッサとメモリ７０２によって代表されるメモリの各種の回路でリンクされてもよい。バスアーキテクチャは、周辺機器、電圧レギュレータとパワー管理回路などのような各種の他の回路をリンクしてもよい。それらは、すべて当技術分野でよく知っているものであるため、ここではこれ以上説明しない。バスインターフェースは、インターフェースを提供する。送受信機７０４は、複数の素子であってもよく、すなわち、送信機と受信機を含み、伝送媒体上で各種の他の装置と通信するためのユニットを提供してもよい。異なるユーザ機器について、ユーザインターフェース７０３は、必要な機器に外接や内接することができるインターフェースであってもよい。接続された機器は、キーパッド、ディスプレイ、スピーカ、マイクロホン、ジョイスティックなどを含むが、それらに限らない。
【０１１５】
プロセッサ７０１は、バスアーキテクチャと一般的な処理の管理を担当し、メモリ７０２は、操作実行時にプロセッサ２６０１によって使用されるデータを記憶することができる。
【０１１６】
ネットワーク側機器７００は、上記図３の方法の実施例においてネットワーク側機器によって実現された各プロセスを実現することができる。説明の重複を回避するために、ここで説明を省略する。
【０１１７】
本開示の実施例はさらに、コンピュータ可読記憶媒体を提供する。コンピュータ可読記憶媒体にはコンピュータプログラムが記憶されており、このコンピュータプログラムがプロセッサによって実行される時、上記報告方法または受信方法の実施例の各プロセスを実現し、且つ同じ技術的効果を実現することができる。説明の重複を回避するために、ここで説明を省略する。そのうち、上述したコンピュータ可読記憶媒体は、例えば、リードオンリーメモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、  ＲＡＭ）、磁気ディスクまたは光ディスクなどである。
【０１１８】
説明すべきことは、本明細書において、「含む」、「包含」という用語またはその他の任意の変形は、非排除性の「含む」を意図的にカバーするものであり、それにより、一連の要素を含むプロセス、方法、物品または装置は、それらの要素を含むだけではなく、明確にリストされていていない他の要素も含み、またはこのようなプロセス、方法、物品または装置に固有の要素も含む。それ以上の制限がない場合に、「．．．．．．を１つ含む」という文章で限定された要素について、この要素を含むプロセス、方法、物品または装置には他の同じ要素が存在することが排除されていない。
【０１１９】
以上の実施の形態の記述によって、当業者であればはっきりと分かるように、上記実施例の方法は、ソフトウェアと必要な汎用ハードウェアプラットフォームの方式によって実現されてもよい。無論、ハードウェアによっても実現されるが、多くの場合、前者が好適な実施の形態である。このような理解を踏まえて、本開示の技術案は、実質にはまたは関連技術に寄与した部分がソフトウェア製品の形式によって表われてもよい。このコンピュータソフトウェア製品は、一つの記憶媒体（ＲＯＭ／ＲＡＭ、磁気ディスク、光ディスク）に記憶され、若干の指令を含み、一台の端末（携帯電話、コンピュータ、サーバ、エアコン、またはネットワーク側機器などであってもよい）に本開示の各実施例に記載の方法を実行させる。
【０１２０】
以上は、添付図面を結び付けながら、本開示の実施例を記述していたが、本開示は、上述した具体的な実施の形態に限らず、上述した具体的な実施の形態は例示的なものに過ぎず、制限性のあるものではない。当業者は、本開示による示唆を基にして、本開示の趣旨や請求項が保護する範囲から逸脱しない限り、多くの形式の変更を行うことができ、それらはいずれも本開示の保護範囲に入っている。
【図１】
2022501922.tif 000003
【図２】
2022501922.tif 000004
【図３】
2022501922.tif 000005
【図４】
2022501922.tif 000006
【図５】
2022501922.tif 000007
【図６】
2022501922.tif 000008
【図７】
2022501922.tif 000009
【手続補正書】
【提出日】令和3年4月15日(2021.4.15)
【手続補正１】
【補正対象書類名】明細書
【補正対象項目名】００１９
【補正方法】変更
【補正の内容】
【００１９】
ネットワーク側機器１２は、基地局、中継、アクセスポイント、モビリティ管理エンティティ（Ｍｏｂｉｌｉｔｙ  Ｍａｎａｇｅｍｅｎｔ  Ｅｎｔｉｔｙ、ＭＭＥ）、アクセスモビリティ管理機能（Ａｃｃｅｓｓ  Ｍａｎａｇｅｍｅｎｔ  Ｆｕｎｃｔｉｏｎ、ＡＭＦ）またはゲートウェイなどであってもよい。基地局は、５Ｇおよび以降のバージョンの基地局（例えば：５Ｇ  ＮＲ  ＮＢ）、または他の通信システムにおける基地局（例えば：進化型基地局（Ｅｖｏｌｖｅｄ  Ｎｏｄｅ  Ｂ、ｅＮＢ）であってもよい。説明すべきことは、本開示の実施例では、ネットワーク側機器１２の具体的なタイプを限定するものではないことである。
【手続補正２】
【補正対象書類名】明細書
【補正対象項目名】００７２
【補正方法】変更
【補正の内容】
【００７２】
選択的に、前記報告メッセージはさらに、識別標識、公衆陸上移動網ＰＬＭＮリスト、トラッキングエリアコードＴＡＣ、ＲＡＮＡＣ及びセル周波数ビンのうちの少なくとも一つの情報を含んでもよい。
【手続補正３】
【補正対象書類名】明細書
【補正対象項目名】００８８
【補正方法】変更
【補正の内容】
【００８８】
選択的に、前記報告メッセージはさらに、識別標識、公衆陸上移動網ＰＬＭＮリスト、トラッキングエリアコードＴＡＣ、ＲＡＮＡＣ及びセル周波数ビンのうちの少なくとも一つの情報を含んでもよい。
【手続補正４】
【補正対象書類名】明細書
【補正対象項目名】０１１５
【補正方法】変更
【補正の内容】
【０１１５】
プロセッサ７０１は、バスアーキテクチャと一般的な処理の管理を担当し、メモリ７０２は、操作実行時にプロセッサ７０１によって使用されるデータを記憶することができる。
【手続補正５】
【補正対象書類名】特許請求の範囲
【補正対象項目名】全文
【補正方法】変更
【補正の内容】
【特許請求の範囲】
【請求項１】
端末に用いられる報告方法であって、
第一のセルの同期ブロードキャスト信号ブロック測定タイミング配置ＳＭＴＣ配置情報が携帯されている報告メッセージを第一のネットワーク側機器に送信することを含む、報告方法。
【請求項２】
報告メッセージを第一のネットワーク側機器に送信する前、前記報告方法はさらに、
前記第一のセルのＳＭＴＣ配置情報を取得することを含み、
前記第一のセルのＳＭＴＣ配置情報を取得することは、
第二のネットワーク側機器から送信された前記第一のセルのＳＭＴＣ配置情報を受信すること、または
ブラインド検出された前記第一のセルの同期ブロードキャスト信号ＳＳ／ＰＢＣＨブロックに基づいて、前記第一のセルのＳＭＴＣ配置情報を計算することを含む、請求項１に記載の報告方法。
【請求項３】
前記第一のセルのＳＭＴＣ配置情報を取得した後、前記報告方法はさらに、
前記端末が前記第一のセルにおいて接続状態からアイドル状態または非活性化状態になる場合、前記第一のセルのＳＭＴＣ配置情報をリザーブすることを含む、請求項２に記載の報告方法。
【請求項４】
報告メッセージを第一のネットワーク側機器に送信することは、
第二のセルとの接続の確立中または前記第二のセルに接続された後、第一のセルのＳＭＴＣ配置情報を前記第一のネットワーク側機器に送信することを含む、請求項１に記載の報告方法。
【請求項５】
報告メッセージを第一のネットワーク側機器に送信する前、前記報告方法はさらに、
第二のセルとの接続の確立中または前記第二のセルに接続された後、通知メッセージを前記第一のネットワーク側機器に送信し、前記通知メッセージは、前記端末がすでに前記第一のセルのＳＭＴＣ配置情報を記録したことを前記第一のネットワーク側機器へ通知するためのものであることを含み、
報告メッセージを第一のネットワーク側機器に送信することは、
前記第一のネットワーク側機器から送信された報告指示メッセージを受信した場合、前記第一のネットワーク側機器へ前記報告メッセージを送信することを含む、請求項１に記載の報告方法。
【請求項６】
前記通知メッセージは、ドライブテストの最小化ＭＤＴデータ報告メッセージである、請求項５に記載の報告方法。
【請求項７】
第一のネットワーク側機器に用いられる受信方法であって、
第一の端末から送信された、第一のセルのＳＭＴＣ配置情報が携帯されている報告メッセージを受信することを含む、受信方法。
【請求項８】
第一の端末から送信された報告メッセージを受信する前、前記受信方法はさらに、
前記第一の端末が第二のセルとの接続の確立中または前記第二のセルに接続された後に送信した通知メッセージを受信し、前記通知メッセージは、前記第一の端末がすでに前記第一のセルのＳＭＴＣ配置情報を記録したことを前記第一のネットワーク側機器へ通知するためのものであること、および
報告指示メッセージを前記第一の端末に送信することを含み、
第一の端末から送信された報告メッセージを受信することは、
前記第一の端末が前記報告指示メッセージに基づいて送信した前記報告メッセージを受信することを含む、請求項７に記載の受信方法。
【請求項９】
第一の端末から送信された報告メッセージを受信した後、前記受信方法はさらに、
前記ＳＭＴＣ配置情報を他のネットワーク側機器に転送することを含む、請求項７に記載の受信方法。
【請求項１０】
第一の端末から送信された報告メッセージを受信した後、前記受信方法はさらに、
前記第一のセルのＳＭＴＣ配置情報を利用して第二の端末にＳＭＴＣ配置を実行させることを含む、請求項７に記載の受信方法。
【請求項１１】
第一のセルの同期ブロードキャスト信号ブロック測定タイミング配置ＳＭＴＣ配置情報が携帯されている報告メッセージを第一のネットワーク側機器に送信するための第一の送信モジュールを含む、端末。
【請求項１２】
報告メッセージを第一のネットワーク側機器に送信する前、前記第一のセルのＳＭＴＣ配置情報を取得するための取得モジュールをさらに含み、
前記取得モジュールは具体的に、
第二のネットワーク側機器から送信された前記第一のセルのＳＭＴＣ配置情報を受信し、または
ブラインド検出された前記第一のセルの同期ブロードキャスト信号ＳＳ／ＰＢＣＨブロックに基づいて、前記第一のセルのＳＭＴＣ配置情報を計算するために用いられる、請求項１１に記載の端末。
【請求項１３】
前記第一の送信モジュールは具体的に、
第二のセルとの接続の確立中または前記第二のセルに接続された後、第一のセルのＳＭＴＣ配置情報を前記第一のネットワーク側機器に送信するために用いられる、請求項１１に記載の端末。
【請求項１４】
前記第一のネットワーク側機器へ報告メッセージを送信する前、第二のセルとの接続の確立中または前記第二のセルに接続された後、通知メッセージを前記第一のネットワーク側機器に送信するための第二の送信モジュールをさらに含み、
前記通知メッセージは、前記端末がすでに前記第一のセルのＳＭＴＣ配置情報を記録したことを前記第一のネットワーク側機器へ通知するためのものであり、
前記第一の送信モジュールは具体的に、
前記第一のネットワーク側機器から送信された報告指示メッセージを受信した場合、前記第一のネットワーク側機器へ報告メッセージを送信するために用いられる、請求項１１に記載の端末。
【請求項１５】
第一の端末から送信された、第一のセルのＳＭＴＣ配置情報が携帯されている報告メッセージを受信するための第一の受信モジュールを含む、ネットワーク側機器。
【国際調査報告】
2022501922.tif 000010
2022501922.tif 000011
2022501922.tif 000012
2022501922.tif 000013